(57)【要約】【課題】  家具自体の外見上の形状を損なうことなく、踏み台及び体重計や体脂肪計を収納可能とし、仕舞い勝手に優れ、台所や洗面室を広く有効利用することができ、必要なときにこれらを引き出して使用することができる使い勝手に優れた家具を提供する。【解決手段】  家具本体の側部に形成された収納部に、ベース部材に折り畳み自在に取り付けられた踏み板と該踏み板に対して折り畳み可能に取り付けられた脚部とが出し入れ可能に収納され、かつ、踏み台として利用するときには、該脚部が起立し、前記踏み板を略水平状態に保持できるように構成したので、家具自体の外見上の形状を損なうことがなく、また、踏み台を収納可能としたので仕舞い勝手が良好であり、その結果、台所や洗面室を広く有効利用することができるように構成した。【選択図】図２
2006304910.tif 000002
【特許請求の範囲】
【請求項１】
家具本体の側部に形成された収納部に、ベース部材に折り畳み自在に取り付けられた踏み板と該踏み板に対して折り畳み可能に取り付けられた脚部とが出し入れ可能に収納され、かつ、踏み台として利用するときには、前記踏み板を略水平状態に保持できるように構成されていることを特徴とする家具。
【請求項２】
前記踏み台を折り畳み自在に保持するベース部材には、体重計又は体脂肪計が折り畳み収納自在に取り付けられていることを特徴とする請求項１に記載の家具。
【請求項３】
前記ベース部材は、前記収納部から引き出して移動自在に構成されていることを特徴とする請求項１又は請求項２のいずれかに記載の家具。
【請求項４】
前記ベース部材、脚部及び体重計又は体脂肪計には、ローラが回転自在に取り付けられており、該ローラは、荷重が作用したときに転動状態がロックされるように構成されていることを特徴とする請求項３に記載の家具。
【発明の詳細な説明】
【技術分野】
【０００１】
この発明は、流し台や洗面台等の家具に係り、特に、これら家具の上方に吊戸棚等が配設されている場合に、この吊戸棚への物の出し入れを、簡単な操作で踏み板を引き出して容易に行うことができ、しかも、不使用時には、これを収納して家具回りを広く使用することができる家具に関する。
【背景技術】
【０００２】
流し台や洗面台の上方には、一般的に吊戸棚が設けられているが、高い位置に設けられている吊戸棚から収納物を出し入れする場合に手が届かず、テーブルの椅子等を踏み台として使用しているのが現状であり、その都度片付けたりしなければならず面倒であった。また、放置すると床面のスペースを占有して邪魔になり、流し台や洗面台回りを広く使うことができない、という問題を有していた。
このような問題を解決するため、従来では、例えば、特許文献１に示すように、キッチンカウンタの最下段の収納部開口部に踏み台兼用の蓋板を設けることで、人が乗り降りできるようにし、収納部を踏み台として使用するものが提案されている。
【０００３】
【特許文献１】特開平１１−１０３９５１号公報
【発明の開示】
【発明が解決しようとする課題】
【０００４】
しかしながら、特許文献１にあっては、踏み台兼用の蓋板が設けられており、収納部内部の収納物を取り出すたびごとに、この蓋板を開けなければならず、踏み台として使用しない収納物の取り出しの際には、不便である、という問題を有していた。
【０００５】
また、従来、洗面室を入浴時の脱衣室として併用するケースが多く見受けられるが、このような洗面室に体重計や体脂肪計を置いた場合、これらの計器が不使用時には邪魔となるという問題を有し、また、洗面室にはこの計器を仕舞うスペースもない、というのも現状である。
【０００６】
この発明は、かかる現状に鑑み創案されたものであって、その目的とするところは、家具自体の外見上の形状を損なうことなく、踏み台及び体重計や体脂肪計を収納可能とし、仕舞い勝手に優れ、台所や洗面室を広く有効利用することができ、必要なときにこれらを引き出して使用することができる使い勝手に優れた家具を提供しようとするものである。
【課題を解決するための手段】
【０００７】
上記目的を達成するため、請求項１に記載の家具は、家具本体の側部に形成された収納部に、ベース部材に折り畳み自在に取り付けられた踏み板と該踏み板に対して折り畳み可能に取り付けられた脚部とが出し入れ可能に収納され、かつ、踏み台として利用するときには、前記踏み板を略水平状態に保持できるように構成されていることを特徴とする。
【０００８】
請求項２に記載の発明にあっては、請求項１に記載の家具を技術的前提とし、前記踏み台を折り畳み自在に保持するベース部材には、体重計又は体脂肪計が折り畳み収納自在に取り付けられていることを特徴とする。
【０００９】
請求項３に記載の発明にあっては、請求項１又は請求項２のいずれかに記載の家具材を技術的前提とし、前記ベース部材は、前記収納部から引き出して移動自在に構成されていることを特徴とする。
【００１０】
請求項４に記載の発明にあっては、請求項３に記載の家具を技術的前提とし、前記ベース部材、脚部及び体重計又は体脂肪計には、ローラが回転自在に取り付けられており、該ローラは、荷重が作用したときに転動状態がロックされるように構成されていることを特徴とする。
【発明の効果】
【００１１】
以上説明したように、請求項１に記載の発明にあっては、家具本体の側部に形成された収納部に、ベース部材に折り畳み自在に取り付けられた踏み板と該踏み板に対して折り畳み可能に取り付けられた脚部とが出し入れ可能に収納され、かつ、踏み台として利用するときには、前記踏み板を略水平状態に保持できるように構成したので、家具自体の外見上の形状を損なうことがなく、また、踏み台を収納可能としたので仕舞い勝手が良好であり、その結果、台所や洗面室を広く有効利用することができ、さらには、必要なときに踏み台を簡単に引き出して使用することができるので、使い勝手も良好である、という優れた効果が得られる。
【００１２】
次に、請求項２に記載の発明にあっては、前記踏み台を折り畳み自在に保持するベース部材に、体重計又は体脂肪計が折り畳み収納自在に取り付けられているので、洗面室を広く有効利用することができ、さらには、必要なときに踏み台を簡単に引き出して使用することができるので、使い勝手も良好である、という優れた効果が得られる。
【００１３】
請求項３に記載の発明にあっては、前記ベース部材を、前記収納部から引き出して移動自在に構成したので、踏み台を必要な場所まで移動させて使用することができる、という効果が得られる。
【００１４】
請求項４に記載の発明にあっては、前記ベース部材、脚部及び体重計又は体脂肪計に、ローラを回転自在に取り付けたので、小さな力でも踏み台を移動させることができ、しかも、該ローラは、荷重が作用したときに転動状態がロックされるように構成されているので、安定した状態で踏み台に乗ったり、体重計又は体脂肪計に乗ることができ、安全である、という効果が得られる。
【発明を実施するための最良の形態】
【００１５】
以下、添付図面に示す発明の実施形態例に基づき、この発明を詳細に説明する。
【実施例１】
【００１６】
図１は、この発明の実施例１に係る踏み台収納自在に構成されてなる洗面台の構成を示す斜視図を、図２は同洗面台の収納部から踏み台を引き出し組み立てた状態を示す斜視図を、図３は同踏み台と一緒に収納されている体重計を利用可能な状態にセットした状態を示す斜視図を夫々示している。
【００１７】
即ち、この実施例１に係る洗面台１は、シンク２が取り付けられた天板３と、この天板３が載置固定されたキャビネット４と、から構成されており、該キャビネット４の前方には、天板下の収納部を開閉する扉５，５が配設されていると共に、該キャビネット４の両側部或は一側部には、踏み台ユニット１０が引き出し自在に収納される踏み台収納部６が形成されている。尚、この実施例１では、上記踏み台収納部６の前方は開放されている。
【００１８】
そして、上記踏み台ユニット１０は、矩形枠からなるベース部材１１と、このベース部材１１の上半分に折り畳み自在に取り付けられた踏み板１２と、該踏み板１２に対して折り畳み可能に取り付けられた脚部１３と、から構成されており、踏み台として利用するときには、該脚部１３が起立し、前記踏み板１２を略水平状態に保持できるように構成されている。
【００１９】
また、上記ベース部材１１の下半分には、体重計又は体脂肪計１５が折り畳み収納自在に取り付けられており、該体重計又は体脂肪計１５を使用するときには、該体重計又は体脂肪計１５の脚部１７，１７を起立させて水平状態にセットすることで、使用することができる。
【００２０】
勿論、上記踏み板１２と体重計又は体脂肪計１５は、ベース部材１１に折り畳まれた状態では、不用意に使用可能状態とならないように、公知の適宜の係止手段により係合保持されるように構成されている。
【００２１】
尚、図中符号１４は、上記ベース部材１１の前面板１６の上部に取り付けられた把手である。
【００２２】
この実施例１に係る洗面台１は、以上のように構成されているので、踏み台を必要とするときには、図２に示すように、把手１４を把持して踏み台ユニット１０を手前側に引き出し、踏み板１２を同図２矢印方向へ引いて脚部１３を起立させることで、前記踏み板１２を略水平状態に保持することができ、安定した状態で洗面台１の上方に配設された吊戸棚等の収納棚から物を容易に取り出すことができる。また、踏み台が不要となったときには、上記手順と逆の手順で仕舞うことができ、洗面台回りを広く使用することができる。
【００２３】
また、この実施例１に係る洗面台１にあっては、上記踏み台ユニット１０に体重計又は体脂肪計１５を一緒に収納したので、体重計又は体脂肪計１５を使用するときには、該体重計又は体脂肪計１５を、図３に示すように、水平状態にセットするだけで使用することができる。また、体重計又は体脂肪計１５が不要となったときには、上記手順と逆の手順で仕舞うことができ、洗面台回りを広く使用することができる。
【実施例２】
【００２４】
図４はこの発明の実施例２に係る踏み台収納自在に構成されてなる洗面台の構成を示す斜視図を、図５は同洗面台の収納部から踏み台を引き出し組み立てた状態を示す斜視図を、図６は同踏み台と一緒に収納されている体重計を利用可能な状態にセットした状態を示す斜視図を夫々示している。
【００２５】
尚、この実施例２に係る洗面台１は、踏み台ユニット１０を自走可能に構成した他は、他の構成及び作用効果は、実施例１と同様に構成されているため、図面には実施例１と同一の符号を付して、その詳細な説明をここでは省略する。
【００２６】
即ち、この実施例２に係る洗面台１の踏み台ユニット１０は、ベース部材１１の下辺部両端部と両脚部１３，１３の下端部並びに体重計又は体脂肪計１５の下面にローラＲを回転自在に取り付けると共に、該ローラＲは、踏み板１２に、或は体重計又は体脂肪計１５に荷重が作用したときに、転動状態がロックされるように構成されているので、安定した状態で踏み板１２に乗ったり、体重計又は体脂肪計に乗ることができ、安全である。尚、荷重が作用したときにロックされ、荷重が作用しないときにはアンロック状態を保持する上記ローラＲは、公知のものを用いることができるので、その詳細な説明をここでは省略する。
【００２７】
この実施例２に係る洗面台１にあっては、実施例１の効果に加え、以上説明したように、踏み台ユニット１０を自走可能に構成したので、所望の位置、例えば、洗面台１から離れた吊戸棚等の収納位置まで踏み台を移動させることができる。
【実施例３】
【００２８】
図７と図８は、この発明の実施例３を示しており、この実施例３では、実施例１及び実施例２で用いた体重計又は体脂肪計を収納自在とはせずに、踏み台機能のみで構成されている。
【００２９】
尚、この実施例３では、洗面台を図示してはいないが、踏み台ユニット１０以外の構成及び作用効果は、実施例１または実施例２と同様に構成されているため、図面には実施例１及び実施例２と同一の符号を付して、その詳細な説明をここでは省略する。
【００３０】
即ち、この実施例３に係る踏み台ユニット１０は、踏み板１２が２分割されて（１２Ａ，１２Ｂ）、折り畳み自在に構成されていると共に、脚部１３Ａが公知の折り畳み自在なＸ字脚で構成されている。
【００３１】
このように踏み台ユニット１０を構成することで、この実施例３にあっては、踏み台ユニット１０の幅寸法を実施例１，２のものと比較して薄く形成することができるので、洗面台等を設置した場所に発生するわずかな隙間でも本踏み台ユニット１０を収納させることが可能となり、また、構成が非常に簡易なので、廉価に提供することができる。
【００３２】
尚、上記各実施例では、この発明を洗面台に適用した場合を例にとり説明したが、この発明にあってはこれに限定されるものではなく、例えば、吊戸棚等のように高い位置に収納棚が配設されてなる流し台やその他の場所に設置される家具にも適用できることは勿論である。
【図面の簡単な説明】
【００３３】
【図１】この発明の実施例１に係る踏み台収納自在に構成されてなる洗面台の構成を示す斜視図である。
【図２】同洗面台の収納部から踏み台を引き出し組み立てた状態を示す斜視図である。
【図３】同踏み台と一緒に収納されている体重計を利用可能な状態にセットした状態を示す斜視図である。
【図４】この発明の実施例２に係る踏み台収納自在に構成されてなる洗面台の構成を示す斜視図である。
【図５】同洗面台の収納部から踏み台を引き出した状態を示す斜視図である。
【図６】同踏み台と一緒に収納されている体重計を利用可能な状態にセットした状態を示す斜視図である。
【図７】この発明の実施例３に係る踏み台部分の構成を示す斜視図である。
【図８】同踏み台を組み立てた状態を示す斜視図である。
【符号の説明】
【００３４】
Ｒ  ローラ
１  洗面台
６  踏み台収納部
１０  踏み台ユニット
１１  ベース部材
１２，１２Ａ，１２Ｂ  踏み板
１３，１３Ａ  踏み板の脚部
１５  体重計又は体脂肪計
１７  体重計又は体脂肪計の脚部
【図１】
2006304910.tif 000003
【図２】
2006304910.tif 000004
【図３】
2006304910.tif 000005
【図４】
2006304910.tif 000006
【図５】
2006304910.tif 000007
【図６】
2006304910.tif 000008
【図７】
2006304910.tif 000009
【図８】
2006304910.tif 000010